(57)【要約】【課題】部品点数を減らすことにより製造コストの低減を図ることのできる自動販売機の商品収納装置を提供する。【解決手段】側板１１に設けられた取付スリット１１ｂに挿通可能にに設けられ、取付スリット１１ｂに挿通した後に変形させることにより、側板１１に対して円弧板１２を固定可能な延出部１２ｃを円弧板１２に設けたので、別部材のシャフトやプッシュナット等を必要とすることなく円弧板１２を一対の側板１１に取付けることができ、部品点数を減らすことにより製造コストの低減を図ることが可能となる。【選択図】図７
2007279885.tif 000002
【特許請求の範囲】
【請求項１】
互いに幅方向に間隔をおいて配置された一対の側板と、一対の側板間に設けられ、商品通路を形成する複数の通路板とを備えた自動販売機の商品収納装置において、
前記通路板に、側板に設けられた係合孔に挿通可能に設けられ、係合孔に挿通して変形させることにより、側板に対して通路板を固定可能な延出部を設けた
ことを特徴とする自動販売機の商品収納装置。
【請求項２】
前記通路板に、通路板の幅方向外側に延びる軸を設け、
各側板に、軸を嵌合可能な嵌合孔を設けた
ことを特徴とする請求項１記載の自動販売機の商品収納装置。
【請求項３】
前記軸を、通路板の端部に曲げ加工を施すことにより形成した
ことを特徴とする請求項２記載の自動販売機の商品収納装置。
【発明の詳細な説明】
【技術分野】
【０００１】
本発明は、缶、ビンまたはペットボトル入りの飲料等の商品を販売する自動販売機の商品収納装置に関するものである。
【背景技術】
【０００２】
従来、この種の自動販売機の商品収納装置としては、互いに幅方向に間隔をおいて配置された一対の側板と、一対の側板間に設けられ、上下に蛇行状に延びる第１の商品通路を形成する円弧板や商品投入口から投入された商品を第１の商品通路の上端に案内する第２の商品通路を形成する商品案内板等の複数の通路板とを備えたものが知られている（例えば、特許文献１参照）。
【特許文献１】特開２００１−６０４５号公報
【発明の開示】
【発明が解決しようとする課題】
【０００３】
しかしながら、従来の商品収納装置では、一対の側板間に各通路板を取付けるために、各通路板を支持するシャフトを備え、シャフトの両端をそれぞれ各側板に設けられたシャフト貫通孔に挿入した後に各側板の外側からシャフトの端部にプッシュナットを取付けたり、かしめ加工等を施して一対の側板間にシャフトを架設することにより、一対の側板間に通路板を取付けるようにしているため、商品収納装置を構成する部品点数が多くなり、製造コストが高くなるという問題点があった。
【０００４】
本発明は前記問題点に鑑みてなされたものであり、その目的とするところは、部品点数を減らすことにより製造コストの低減を図ることのできる自動販売機の商品収納装置を提供することにある。
【課題を解決するための手段】
【０００５】
本発明は前記目的を達成するために、互いに幅方向に間隔をおいて配置された一対の側板と、一対の側板間に設けられ、商品通路を形成する複数の通路板とを備えた自動販売機の商品収納装置において、前記通路板に、側板に設けられた係合孔に挿通可能に設けられ、係合孔に挿通して変形させることにより、側板に対して通路板を固定可能な延出部を設けている。
【０００６】
これにより、延出部を係合孔に挿通した後に延出部を変形させることにより、側板に通路板が取付けられることから、シャフトやプッシュナット等の別部品を必要とすることなく、各通路板が一対の側板間に取付けられる。
【発明の効果】
【０００７】
本発明によれば、シャフトやプッシュナット等の別部品を必要とすることなく通路板を一対の側板に取付けることができるので、部品点数を減らすことにより製造コストの低減を図ることが可能となる。
【発明を実施するための最良の形態】
【０００８】
図１乃至図７は本発明の一実施形態を示すもので、図１は外扉を開放した状態を示す自動販売機の全体斜視図、図２は自動販売機の側面断面図、図３は円弧板及び姿勢制御板の斜視図、図４及び図５は円弧板及び姿勢制御板の分解斜視図、図６及び図７は側板と円弧板との組付け方法を示す斜視図である。
【０００９】
この商品収納装置を備えた自動販売機は、前面を開口した自動販売機本体１と、自動販売機本体１の左右一端側に回転自在に支持され、自動販売機本体１の前面開口を開閉する外扉２と、自動販売機本体１内に設けられた商品収納部３と、商品収納部３の前面を開閉する内扉４とを備え、商品収納部３には複数の商品収納装置１０が前後及び左右に並べて吊下げられている。
【００１０】
本実施形態の各商品収納装置１０は、缶、ビンまたはペットボトル等の容器に入った商品を収納するためのものである。各商品収納装置１０は、自動販売機本体１の幅方向に対向する一対の側板１１と、一対の側板１１間の前後方向及び上下方向に取付けられた複数の通路板としての円弧板１２とを備え、一対の側板１１間には複数の円弧板１２によって上下に蛇行して延びる第１の商品通路１３が形成されている。第１の商品通路１３の下端には、周知の商品搬出機構１４が設けられ、第１の商品通路１３内の商品を一つずつ下方に落下搬出するようになっている。また、各第１の商品通路１３の幅方向一端側には、幅方向に移動自在に設けられた図示しない可動側板が上下に延びるように設けられ、第１の商品通路１３の通路幅が設定されるようになっている。
【００１１】
また、複数の商品収納装置１０のうち商品収納部３の前面側に位置する各商品収納装置１０には、前後に並ぶ各商品収納装置１０の各第１の商品通路１３に収納する商品を投入するための複数の商品投入口１５が上部に設けられている。各商品投入口１５と各第１の商品通路１３の上端との間には、商品投入口１５から投入された商品を第１の商品通路１３の上端に案内するための第２の商品通路１６がそれぞれ設けられている。各第２の商品通路１６は、各商品投入口１５から各第１の商品通路１３に向かって下り傾斜をなすように一対の側板１１間に設けられた通路板としての商品案内板１６ａによって形成されている。
【００１２】
各円弧板１２は、プレス加工等によって金属板を円弧状に形成した部材からなる。各円弧板１２の上端及び下端には、端部をそれぞれ幅方向に亘ってカーリング加工を施すことにより軸としての筒部１２ｂが設けられている。筒部１２ｂの中心軸方向両端は、円弧板本体１２ａよりも外側に延びるように形成され、一対の側板１１にそれぞれ設けられた嵌合孔としての取付孔１１ａに係合するようになっている。各円弧板１２の上端側及び下端側の幅方向両端には、端部からそれぞれ外側に延びる延出部１２ｃが設けられ、延出部１２ｃは一対の側板１１にそれぞれ設けられた係合孔としての取付スリット１１ｂに挿入されるようになっている。また、各延出部１２ｃには、一対の側板１１に円弧板１２を固定するための固定片１２ｄが上方または下方に延びるように設けられている。即ち、円弧板１２は、一対の側板１１の幅方向内側から各筒部１１ｂの端部を取付孔１１ａにそれぞれ挿入することにより側板１１に対して位置決めされる。また、円弧板１２は、各延出部１２ｃを取付スリット１１ｂにそれぞれ挿入し、側板１１の幅方向外側において固定片１２ｄを塑性変形させることにより、各側板１１に対しての外れが防止される。これにより、円弧板１２は、一対の側板１１間に確実に固定されるようになっている。
【００１３】
また、各円弧板１２の下端側の幅方向両端側及び中央部には、第１の商品通路１３を落下する商品の落下姿勢を矯正する姿勢制御板１７を筒部１２ｂに連結するための挿通孔としての連結孔１２ｅが設けられている。また、円弧板１２の幅方向両側に位置する連結孔１２ｅのそれぞれの外側には、円弧板本体１２ａを切り欠くことにより、姿勢制御板１７を先端が第１の商品通路１３側に突出するように付勢するコイルバネ１８を筒部１２ｂに取付けるためのバネ取付部１２ｆが設けられている。
【００１４】
姿勢制御板１７は、第１の商品通路１３の幅方向に延びる部材からなり、第１の商品通路１３の幅寸法から可動側板の移動範囲を差し引いた寸法よりも小さい寸法に形成されている。姿勢制御板１７の基端側の幅方向両側には、筒部１２ｂの外周面を半周分巻くように円弧状に形成されたフック１７ａがそれぞれ設けられ、各フック１７ａは、円弧板１２の幅方向中央部の連結孔１２ｅと幅方向両端の各連結孔１２ｅの一方に挿入されるようになっている。また、各フック１７ａの間には、フック１７ａとの間で筒部１２ｂを挟む位置に設けられ、筒部１２ｂの外周面に当接する当接面１７ｂが幅方向に亘って設けられている。更に、各フック１７ａの幅方向外側には、筒部１２ｂに取付けられたコイルバネ１８の一端部を姿勢制御板１７の下面に係合させるためのバネ受け部１７ｃが設けられている。即ち、姿勢制御板１７は、円弧板１２の幅方向一端側または他端側を選択して円弧板１２に連結されるようになっている。例えば、第１の商品通路１３の後側に位置する円弧板１２に連結される姿勢制御板１７が第１の商品通路１３側から見て円弧板１２の右側に連結される場合には、第１の商品通路１３の前側に位置する円弧板１２に連結される姿勢制御板１７は、第１の商品通路側から見て円弧板１２の左側に連結される。つまり、各姿勢制御板１７は、自動販売機本体１の前面側から見て第１の商品通路１３の右側に位置するように円弧板１２に連結されるようになっている。
【００１５】
また、幅方向一対のバネ取付部１２ｆのうち姿勢制御板１７が取付けられる側には、ねじりバネとしてのコイルバネ１８が取付けられ、コイルバネ１８によって姿勢制御板１７が筒部１２ｂから略水平に第１の商品通路１３側に突出するように付勢されている。
【００１６】
以上のように構成された自動販売機の商品収納装置において、商品収納装置１０に商品を充填する場合には、商品投入口１５から商品を投入する。これにより、投入された商品は、第２の商品通路１６を介して第１の商品通路１３の上端に案内され、前後に配置された各円弧板１２に沿って蛇行しながら第１の商品通路１３を落下する。その際、第１の商品通路１３を落下する商品は、円弧板１２に沿って落下するとともに、円弧板１２の下端側の筒部１２ｂに連結された姿勢制御板１７に接触し、コイルバネ１８の付勢力に抗して姿勢制御板１７を下方に押し回しながら落下する。このとき、落下する商品は、姿勢制御板１７に接触することにより落下速度が抑制されるとともに、幅方向水平に延びる姿勢制御板１７の上面に当接することにより、長さ方向の軸が水平になるように矯正されながら落下する。このような姿勢制御は、複数の姿勢制御板１７によって行われるので、落下距離が大きくなる場合にも商品の落下姿勢が乱れることはない。
【００１７】
このように、本実施形態の自動販売機の商品収納装置によれば、側板１１に設けられた取付スリット１１ｂに挿通可能にに設けられ、取付スリット１１ｂに挿通して変形させることにより、側板１１に対して円弧板１２を固定可能な延出部１２ｃを円弧板１２に設けたので、別部材のシャフトやプッシュナット等を必要とすることなく円弧板１２を一対の側板１１に取付けることができ、部品点数を減らすことにより製造コストの低減を図ることが可能となる。
【００１８】
また、円弧板本体１２ａの幅方向外側に延びる筒部１２ｂを円弧板１２に設け、各側板１１に筒部１２ｂが嵌合可能な取付孔１１ａを設けたので、筒部１２ｂを取付孔１１ａに嵌合させることにより、側板１１に対して円弧板１２を位置決めすることができ、円弧板１２を確実に側板１１に固定することが可能となる。
【００１９】
また、円弧板１２の端部に曲げ加工を施すことにより筒部１２ｂを形成したので、プレス加工等によって円弧板１２を形成する際に筒部１２ｂを同時に形成することができ、加工工数の低減を図ることができる。
【００２０】
尚、前記実施形態では、第１の商品通路１３を形成する円弧板１２を側板１１に固定するものを示したが、第２の商品通路１６を形成する商品案内板１６ａについても同様に、商品案内板１６ａの幅方向両端部に延出部を設け、側板１１に設けられた取付スリットに延出部を挿入して端部を変形させることにより、側板１１に商品案内板１６ａを固定することが可能となる。即ち、各側板１１間に取付けられる全ての部品を、前記構造によって取付けることが可能となる。
【図面の簡単な説明】
【００２１】
【図１】本発明の一実施形態を示す外扉を開放した自動販売機の全体斜視図
【図２】自動販売機の側面断面図
【図３】円弧板及び姿勢制御板の斜視図
【図４】円弧板及び姿勢制御板の分解斜視図
【図５】円弧板及び姿勢制御板の分解斜視図
【図６】側板と円弧板との組付け方法を示す斜視図
【図７】側板と円弧板との組付け方法を示す斜視図
【符号の説明】
【００２２】
１０…商品収納装置、１１…側板、１１ａ…取付孔、１１ｂ…取付スリット、１２…円弧板、１２ｂ…筒部、１２ｃ…延出部、１２ｄ…固定片。
【図１】
2007279885.tif 000003
【図２】
2007279885.tif 000004
【図３】
2007279885.tif 000005
【図４】
2007279885.tif 000006
【図５】
2007279885.tif 000007
【図６】
2007279885.tif 000008
【図７】
2007279885.tif 000009